(57)【要約】      （修正有）【課題】封緘金型にぴったり入れることができ、ひいては封緘を正確に施すことができ、封緘の不良率が減少する紙製容器を提供する。【解決手段】紙製容器本体を含み、紙製容器本体の紙の表面に、フィルム膜をかけ、紙製容器本体は、底面と、一組の壁面と、一組の上縁面と、を有し、底面が一組の壁面と連接し、一組の壁面が一組の上縁面と連接する。壁面の品物を収容しない側は、それに隣接する上縁面と連接し、距離を置いて設けられる複数の支持リブ部を有し、支持リブ部は、壁面と壁面に隣接する上縁面とに固定され、その材料がフィルム膜と同一であり、支持リブ部により、壁面が外側へ変形せず、上縁面が上にひっくり返さず、壁面と上縁面とは安定になり、封緘の不良率が降下する。【選択図】図４
0003165231.tif 000002
【実用新案登録請求の範囲】
【請求項１】
紙製容器本体を含み、前記紙製容器本体の紙の表面に、フィルム膜をかけてもいいし、フィルム膜をかけなくてもよく、前記紙製容器本体は、底面と、一組の壁面と、一組の上縁面と、を有し、前記底面が一組の前記壁面と連接し、一組の前記壁面が一組の前記上縁面と連接する紙製容器において、
前記壁面の品物を収容しない側は、それに隣接する前記上縁面と連接し、距離を置いて設けられる複数の支持リブ部を有し、前記支持リブ部は、前記壁面と前記壁面に隣接する前記上縁面とに固定され、その材料が前記フィルム膜と同一であり、前記支持リブ部により、前記壁面が外側へ変形せず、前記上縁面が上にひっくり返さず、前記壁面と前記上縁面とは安定になり、封緘の不良率が降下することを特徴とする紙製容器。
【請求項２】
前記紙製容器本体の形状を多辺形または円形にしたことを特徴とする、請求項１に記載の紙製容器。
【請求項３】
前記支持リブ部の形状は、前記支持リブ部が前記壁面と前記上縁面とを固定でき、斜辺が４５度に傾斜する三角形にしたことを特徴とする、請求項１に記載の紙製容器。
【考案の詳細な説明】
【技術分野】
【０００１】
本考案は、封緘機用の紙製容器に関し、特に、壁面と上縁面とに支持リブ部が設けられるため、紙製容器が変形し難くなり、封緘の不良率が降下する紙製容器に関するものである。
【背景技術】
【０００２】
図１乃至図３に示すように、従来の封緘機用の紙製容器１は、矩形にする場合に、長手方向の壁面２、３が外側に変形し易く、長手方向の上縁面４、５が上にひっくり返し易く、これにより、封緘の品質を向上することができない。且つ従来の紙製容器１の壁面２、３、２ａ、３ａと上縁面４、５、４ａ、５ａとは、強度が弱いため、揺動し易い。そうすると、従来の紙製容器１は、図３に示すように、封緘金型６にぴったり入れることができず、ひいては封緘を正確に施すことができず、封緘の不良率が増加する。
【考案の概要】
【考案が解決しようとする課題】
【０００３】
本考案の主な目的は、封緘金型にぴったり入れることができ、ひいては封緘を正確に施すことができ、封緘の不良率が減少する紙製容器を提供することにある。
【課題を解決するための手段】
【０００４】
本考案の紙製容器によると、紙製容器本体を含み、前記紙製容器本体の紙の表面に、フィルム膜をかけてもいいし、フィルム膜をかけなくてもよく、前記紙製容器本体は、底面と、一組の壁面と、一組の上縁面と、を有し、前記底面が一組の前記壁面と連接し、一組の前記壁面が一組の前記上縁面と連接する紙製容器において、
前記壁面の品物を収容しない側は、それに隣接する前記上縁面と連接し、距離を置いて設けられる複数の支持リブ部を有し、前記支持リブ部は、前記壁面と前記壁面に隣接する前記上縁面とに固定され、その材料が前記フィルム膜と同一であり、前記支持リブ部により、前記壁面が外側へ変形せず、前記上縁面が上にひっくり返さず、前記壁面と前記上縁面とは安定になり、封緘の不良率が降下することを特徴とする紙製容器。
【０００５】
本考案の紙製容器によると、前記紙製容器本体の形状を多辺形または円形にしてもよいことを特徴とする。
【０００６】
本考案の紙製容器によると、前記支持リブ部の形状は、前記支持リブ部が前記壁面と前記上縁面とを固定できればよく、斜辺が４５度に傾斜する三角形にすることが好ましいことを特徴とする。
【考案の効果】
【０００７】
本考案の紙製容器によれば、封緘金型にぴったり入れることができ、ひいては封緘を正確に施すことができ、封緘の不良率が減少するという効果を有する。
【図面の簡単な説明】
【０００８】
【図１】従来の紙製容器の外側に拡大した状態の上面図である。
【図２】従来の紙製容器の上にひっくり返した側の断面図である。
【図３】従来の紙製容器を封緘金型に放置するときに、従来の紙製容器が揺動によって歪んだ状態を示す模式図である。
【図４】本考案の一実施例の紙製容器の斜視図である。
【図５】本考案の一実施例の紙製容器の下面図である。
【図６】本考案の一実施例の紙製容器を封緘金型に放置した状態を示す模式図である。
【考案を実施するための形態】
【０００９】
以下、本考案の実施の形態を図面に基づいて説明する。
まず、図４乃至図６を参照する。本考案の紙製容器は、紙製容器本体１０を含み、紙製容器本体１０の紙の表面に、フィルム膜１１をかけてもいいし、フィルム膜１１をかけなくてもよい。紙製容器本体１０は、底面１２と、一組の壁面１３と、一組の上縁面１４と、を有する。底面１２が一組の壁面１３と連接し、一組の壁面１３が一組の上縁面１４と連接する。
【００１０】
壁面１３の品物を収容しない側は、それに隣接する上縁面１４と連接し、距離を置いて設けられる複数の支持リブ部２０を有し、支持リブ部２０は、壁面１３と壁面１３に隣接する上縁面１４とに固定され、その材料がフィルム膜１１と同一であり、支持リブ部２０により、壁面１３が外側へ変形せず、上縁面１４が上にひっくり返さず、壁面１３と上縁面１４とは安定になり、封緘の不良率が降下する。
【００１１】
紙製容器本体１０の形状を円形にしてもよい。
紙製容器本体１０の形状を矩形にしてもよい。
紙製容器本体１０の形状を多辺形にしてもよい。
【００１２】
支持リブ部２０の形状は、支持リブ部２０が壁面１３と上縁面１４とを固定できればよく、４５度に傾斜する三角形にすることが好ましい。
【００１３】
本考案の紙製容器の形状を矩形にする場合には、本考案の紙製容器は、紙製容器本体１０を含み、紙製容器本体１０の紙の表面に、フィルム膜１１をかけてもいいし、フィルム膜１１をかけなくてもよく、紙製容器本体１０は、底面１２と、一組の壁面１３ａ、１３ｂ、１３ｃ、１３ｄと、一組の上縁面１４ａ、１４ｂ、１４ｃ、１４ｄと、を有する。壁面１３ａ、１３ｂ、１３ｃ、１３ｄの品物を収容しない側は、それに隣接する上縁面１４ａ、１４ｂ、１４ｃ、１４ｄと連接し、距離を置いて設けられる複数の支持リブ部２０を有する。支持リブ部２０は、壁面１３ａ、１３ｂ、１３ｃ、１３ｄと壁面１３ａ、１３ｂ、１３ｃ、１３ｄにそれぞれ隣接する上縁面１４ａ、１４ｂ、１４ｃ、１４ｄとに固定され、その材料がフィルム膜１１と同一である。支持リブ部２０により、壁面１３ａ、１３ｂ、１３ｃ、１３ｄが外側へ変形せず、上縁面１４ａ、１４ｂ、１４ｃ、１４ｄが上にひっくり返さず、壁面１３ａ、１３ｂ、１３ｃ、１３ｄと上縁面１４ａ、１４ｂ、１４ｃ、１４ｄとは安定になる。そうすると、本考案の紙製容器によれば、封緘金型にぴったり入れることができ、ひいては封緘を正確に施すことができ、封緘の不良率を減少することができる。
【産業上の利用可能性】
【００１４】
本考案は、紙製容器に適用することができる。
【符号の説明】
【００１５】
１：紙製容器
２：壁面
２ａ：壁面
３：壁面
３ａ：壁面
４：上縁面
４ａ：上縁面
５：上縁面
５ａ：上縁面
６：封緘金型
１０：紙製容器本体
１１：フィルム層
１２：底面
１３：壁面
１３ａ：壁面
１３ｂ：壁面
１３ｃ：壁面
１３ｄ：壁面
１４：上縁面
１４ａ：上縁面
１４ｂ：上縁面
１４ｃ：上縁面
１４ｄ：上縁面
２０：支持リブ部
３０：封緘金型
【図１】
0003165231.tif 000003
【図２】
0003165231.tif 000004
【図３】
0003165231.tif 000005
【図４】
0003165231.tif 000006
【図５】
0003165231.tif 000007
【図６】
0003165231.tif 000008
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
紙製容器本体を含み、前記紙製容器本体の紙の表面に、フィルム膜をかけ、前記紙製容器本体は、底面と、一組の壁面と、一組の上縁面と、を有し、前記底面が一組の前記壁面と連接し、一組の前記壁面が一組の前記上縁面と連接する紙製容器において、
前記壁面の品物を収容しない側は、それに隣接する前記上縁面と連接し、距離を置いて設けられる複数の支持リブ部を有し、前記支持リブ部は、前記壁面と前記壁面に隣接する前記上縁面とに固定され、その材料が前記フィルム膜と同一であり、前記支持リブ部により、前記壁面が外側へ変形せず、前記上縁面が上にひっくり返さず、前記壁面と前記上縁面とは安定になり、封緘の不良率が降下することを特徴とする紙製容器。
【請求項２】
前記紙製容器本体の形状を多辺形または円形にしたことを特徴とする、請求項１に記載の紙製容器。
【請求項３】
前記支持リブ部の形状は、前記支持リブ部が前記壁面と前記上縁面とを固定でき、斜辺が４５度に傾斜する三角形にしたことを特徴とする、請求項１に記載の紙製容器。